(57)【要約】【課題】  表示装置側の性能差を考慮したテーブルを予め持たせておくことにより、極めて簡単な処理のみで表示装置側の性能差による文字のにじみや潰れ、荒さを軽減する。【解決手段】  メモリ８には、本装置に接続されているＴＶモニタ装置２０のメーカごとに最適なフォントサイズのデータを予め格納したフォントサイズテーブル８ａと、本装置に接続されているＴＶモニタ装置２０のメーカごとに最適な輝度レベルのデータを予め格納した輝度レベルテーブル８ｂとを格納しており、制御回路７は、リモコン１１によりメニュー画面に表示された全メーカからユーザが任意のメーカを指定した場合には、その指定されたメーカのフォントサイズをフォントサイズテーブル８ａから抽出するとともに、指定されたメーカの輝度レベルを輝度レベルテーブル８ｂから抽出し、その抽出したフォントサイズ及び／または輝度レベルでＯＳＤ表示を行う。【選択図】  図１
2007020035.tif 000002
【特許請求の範囲】
【請求項１】
映像信号にＯＳＤ信号を重畳して表示装置に出力する映像信号処理装置において、
前記ＯＳＤ信号のフォントサイズを切り替えるとともに、前記ＯＳＤ信号の輝度レベルを切り替える切替手段と、
本装置に接続される前記表示装置のメーカごとに最適なフォントサイズのデータを予め格納したフォントサイズテーブルと、
本装置に接続される前記表示装置のメーカごとに最適な輝度レベルのデータを予め格納した輝度レベルテーブルと、
本装置に接続された前記表示装置を指定する指定手段とを備えており、
前記切替手段は、前記指定手段によりメニュー画面に表示された全メーカからユーザが任意のメーカを指定した場合には、その指定されたメーカのフォントサイズを前記フォントサイズテーブルから抽出するとともに、指定されたメーカの輝度レベルを前記輝度レベルテーブルから抽出し、その抽出したフォントサイズ及び輝度レベルで前記ＯＳＤ信号を出力することを特徴とする映像信号処理装置。
【請求項２】
映像信号にＯＳＤ信号を重畳して表示装置に出力する映像信号処理装置において、
前記ＯＳＤ信号のフォントサイズを切り替える切替手段を備えており、
前記切替手段は、本装置に接続される前記表示装置に応じて前記ＯＳＤ信号のフォントサイズを切り替えることを特徴とする映像信号処理装置。
【請求項３】
本装置に接続される前記表示装置のメーカごとに最適なフォントサイズのデータを予め格納したフォントサイズテーブルと、
本装置に接続された前記表示装置のメーカを指定する指定手段とを備えており、
前記切替手段は、前記指定手段により表示装置のメーカがユーザによって指定された場合には、その指定されたメーカのフォントサイズを前記フォントサイズテーブルから抽出し、その抽出したフォントサイズで前記ＯＳＤ信号を出力することを特徴とする請求項２に記載の映像信号処理装置。
【請求項４】
映像信号にＯＳＤ信号を重畳して表示装置に出力する映像信号処理装置において、
前記ＯＳＤ信号の輝度レベルを切り替える切替手段を備えており、
前記切替手段は、本装置に接続される前記表示装置に応じて前記ＯＳＤ信号の輝度レベルを切り替えることを特徴とする映像信号処理装置。
【請求項５】
本装置に接続される前記表示装置のメーカごとに最適な輝度レベルのデータを予め格納した輝度レベルテーブルと、
本装置に接続された前記表示装置のメーカを指定する指定手段とを備えており、
前記切替手段は、前記指定手段により表示装置のメーカがユーザによって指定された場合には、その指定されたメーカの輝度レベルを前記輝度レベルテーブルから抽出し、その抽出した輝度レベルで前記ＯＳＤ信号を出力することを特徴とする請求項４に記載の映像信号処理装置。
【請求項６】
映像信号にＯＳＤ信号を重畳して表示装置に出力する映像信号処理装置において、
前記ＯＳＤ信号のフォントサイズを切り替えるとともに、前記ＯＳＤ信号の輝度レベルを切り替える切替手段を備えており、
前記切替手段は、本装置に接続される前記表示装置に応じて前記ＯＳＤ信号のフォントサイズと輝度レベルとを切り替えることを特徴とする映像信号処理装置。
【請求項７】
本装置に接続される前記表示装置のメーカごとに最適なフォントサイズのデータを予め格納したフォントサイズテーブルと、
本装置に接続される前記表示装置のメーカごとに最適な輝度レベルのデータを予め格納した輝度レベルテーブルと、
本装置に接続された前記表示装置のメーカを指定する指定手段とを備えており、
前記切替手段は、前記指定手段により表示装置のメーカがユーザによって指定された場合には、その指定されたメーカのフォントサイズを前記フォントサイズテーブルから抽出するとともに、指定されたメーカの輝度レベルを前記輝度レベルテーブルから抽出し、その抽出したフォントサイズ及び輝度レベルで前記ＯＳＤ信号を出力することを特徴とする請求項６に記載の映像信号処理装置。
【請求項８】
前記指定手段は、メニュー画面に表示された全メーカからユーザが任意のメーカを選択することで表示装置のメーカを指定することを特徴とする請求項３または５に記載の映像信号処理装置。
【請求項９】
前記指定手段は、メニュー画面に表示されたコード入力窓にメーカコードを入力することで表示装置のメーカを指定することを特徴とする請求項３、５または７に記載の映像信号処理装置。
【発明の詳細な説明】
【技術分野】
【０００１】
本発明は、映像信号にＯＳＤ信号を重畳して表示装置に出力するＤＶＤ(Digital Versatile Disk)プレーヤやＤＶＤレコーダ等の映像信号処理装置に関する。
【背景技術】
【０００２】
１種類のフォントデータを実装し、一定輝度でそのフォントを表示出力するように構成されている映像信号処理装置の場合、出力する映像信号を表示する表示装置（テレビ受像機等）側の性能差により、フォントの文字がちらついたり、にじんで潰れてしまったりすることがあり、文字が読めなくなる可能性があるといった問題があった。また反対に、フォントが大きすぎたり、輝度が低かったりした場合には、フォントの荒さが見えてしまう可能性があるといった問題もあった。
【０００３】
そこで、このようなＯＳＤフォントを表示画面上により見易く表示するための技術が従来から種々提案されている（例えば、特許文献１〜４等参照）。
【０００４】
特許文献１に記載のビデオ機器は、画面サイズの比較的小さなテレビ受像機の場合には、第１のオンスクリーン信号発生手段から標準サイズ文字を出力し、画像サイズの大きなテレビ受像機の場合には、第２のオンスクリーン信号発生手段から小さい文字サイズを出力することによって、相対的な文字の視野角を比較的に一定に保つようになっている。
【０００５】
また、特許文献２に記載の映像再生装置は、表示モード切換スイッチが小規模のモニタ手段である“ＥＶＦ表示モード”に設定されている場合には、文字等の特定パターンの大きさを画面サイズに対して比較的大きく表示する“ＥＶＦ表示モード”でオンスクリーン表示する一方、大規模のモニタ手段（例えば、外部モニタ表示装置）に対応する表示モードである場合には、文字等の特定パターンの大きさを画面サイズに対して比較的小さく表示する“ディスプレイ表示モード”を選択するようになっている。
【０００６】
また、特許文献３に記載のＯＳＤ表示受信機は、画像／ＯＳＤ信号のＯＳＤ面積、ＯＳＤフォント、ＯＳＤ輝度レベル、画像信号輝度レベル、画像情報の動き情報を検出することで、画像／ＯＳＤ信号に最適な画質補正を施すようになっている。
【０００７】
また、特許文献４に記載のＯＳＤ装置は、表示画面を複数に分割し、各分割領域ごとに採光して得られたそれぞれのＡＥ情報に基づいて、分割された領域の明るさ、あるいは色情報（ＲＧＢ情報）に応じて、分割領域の各々において表示されるキャラクタ情報の輝度及び色の少なくとも一方を変更するようになっている。
【０００８】
上記特許文献１〜４によれば、ＯＳＤフォントを表示画面上により見易く表示することが可能である。
【特許文献１】特開平４−１００３８６号公報
【特許文献２】特開平５−１６１０８５号公報
【特許文献３】特開２００４−２２１７５０号公報
【特許文献４】特開２００３−２１９４３５号公報
【発明の開示】
【発明が解決しようとする課題】
【０００９】
しかしながら、特許文献１記載のビデオ機器では、第１のオンスクリーン信号発生手段及び第２のオンスクリーン信号発生手段の２種類の手段を備えておく必要があるため、部品点数の増加、製造コストの上昇を招くといった問題があった。また、選択できる文字のサイズも標準文字サイズとそれより小さい文字サイズの２種類のみであるため、種々の画面サイズに対応できないといった問題もあった。
【００１０】
また、上記特許文献２記載映像再生装置では、選択できる表示モードが、“ＥＶＦ表示モード”と“ディスプレイ表示モード”の２種類のみであるため、種々の画面サイズに対応できないといった問題があった。
【００１１】
また、上記特許文献３記載のＯＳＤ表示受信機では、画像／ＯＳＤ信号のＯＳＤ面積、ＯＳＤフォント、ＯＳＤ輝度レベル、画像信号輝度レベル、画像情報の動き情報などを検出する必要があるため、処理が複雑になるといった問題があった。
【００１２】
また、上記特許文献４記載のＯＳＤ装置では、表示画面を複数に分割し、各分割領域ごとに明るさや色情報（ＲＧＢ情報）を分析し、順光であるか、背景と同系色であるか、といった複雑な判断処理が必要であり、ＣＰＵにかかる負荷が大きいといった問題があった。
【００１３】
さらに、上記特許文献１〜４に記載のものは、上記従来の技術でも説明したように、出力する映像信号を表示する表示装置（テレビ受像機等）側の性能差については全く考慮されていない。逆に言えば、上記特許文献１〜４記載のものは、どのような性能の表示装置が接続されても、ＯＳＤフォントを表示画面上により見易く表示するために、それぞれ複雑な処理を行っているのであるが、表示装置側の性能を考慮したフォント表示をすれば、このような複雑な処理をしなくても、ＯＳＤフォントを表示画面上により見易く表示することが可能である。
【００１４】
本発明はこのような表示装置側の性能差に着目して創案されたもので、その目的は、表示装置側の性能差を考慮したテーブルを予め持たせておくことにより、極めて簡単な処理のみで表示装置側の性能差による文字のにじみや潰れ、荒さを軽減することのできる映像信号処理装置を提供することにある。
【課題を解決するための手段】
【００１５】
本発明の映像信号処理装置は、映像信号にＯＳＤ信号を重畳して表示装置に出力する映像信号処理装置において、前記ＯＳＤ信号のフォントサイズを切り替える切替手段を備えており、前記切替手段は、本装置に接続される前記表示装置に応じて前記ＯＳＤ信号のフォントサイズを切り替えることを特徴とする。より具体的に説明すると、本装置に接続される前記表示装置のメーカごとに最適なフォントサイズのデータを予め格納したフォントサイズテーブルと、本装置に接続された前記表示装置のメーカを指定する指定手段とを備えており、前記切替手段は、前記指定手段により表示装置のメーカがユーザによって指定された場合には、その指定されたメーカのフォントサイズを前記フォントサイズテーブルから抽出し、その抽出したフォントサイズで前記ＯＳＤ信号を出力するようになっている。すなわち、本発明の映像信号処理装置によれば、本装置に接続される表示装置のメーカに対応した最適なフォントサイズで文字等を表示することができるため、表示装置側の性能差による文字のにじみや潰れ、荒さを軽減することができる。
【００１６】
また、本発明の映像信号処理装置は、映像信号にＯＳＤ信号を重畳して表示装置に出力する映像信号処理装置において、前記ＯＳＤ信号の輝度レベルを切り替える切替手段を備えており、前記切替手段は、本装置に接続される前記表示装置に応じて前記ＯＳＤ信号の輝度レベルを切り替えることを特徴とする。より具体的に説明すると、本装置に接続される前記表示装置のメーカごとに最適な輝度レベルのデータを予め格納した輝度レベルテーブルと、本装置に接続された前記表示装置のメーカを指定する指定手段とを備えており、前記切替手段は、前記指定手段により表示装置のメーカがユーザによって指定された場合には、その指定されたメーカの輝度レベルを前記輝度レベルテーブルから抽出し、その抽出した輝度レベルで前記ＯＳＤ信号を出力するようになっている。すなわち、本発明の映像信号処理装置によれば、本装置に接続される表示装置のメーカに対応した最適な輝度レベルで文字等を表示することができるため、表示装置側の性能差による文字のにじみや潰れ、荒さを軽減することができる。
【００１７】
また、本発明の映像信号処理装置は、映像信号にＯＳＤ信号を重畳して表示装置に出力する映像信号処理装置において、前記ＯＳＤ信号のフォントサイズを切り替えるとともに、前記ＯＳＤ信号の輝度レベルを切り替える切替手段を備えており、前記切替手段は、本装置に接続される前記表示装置に応じて前記ＯＳＤ信号のフォントサイズと輝度レベルとを切り替えることを特徴とする。より具体的に説明すると、本装置に接続される前記表示装置のメーカごとに最適なフォントサイズのデータを予め格納したフォントサイズテーブルと、本装置に接続される前記表示装置のメーカごとに最適な輝度レベルのデータを予め格納した輝度レベルテーブルと、本装置に接続された前記表示装置のメーカを指定する指定手段とを備えており、前記切替手段は、前記指定手段により表示装置のメーカがユーザによって指定された場合には、その指定されたメーカのフォントサイズを前記フォントサイズテーブルから抽出するとともに、指定されたメーカの輝度レベルを前記輝度レベルテーブルから抽出し、その抽出したフォントサイズ及び輝度レベルで前記ＯＳＤ信号を出力するようになっている。すなわち、本発明の映像信号処理装置によれば、本装置に接続される表示装置のメーカに対応した最適なフォントサイズ及び輝度レベルで文字等を表示することができるため、表示装置側の性能差による文字のにじみや潰れ、荒さを軽減することができる。
【００１８】
また、本発明の映像信号処理装置によれば、前記指定手段は、メニュー画面に表示された全メーカからユーザが任意のメーカを選択することで表示装置のメーカを指定するように構成してもよい。または、メニュー画面に表示されたコード入力窓にメーカコードを入力することで表示装置のメーカを指定するように構成してもよい。この場合、コード入力窓に入力するメーカコードは、予め説明書などの冊子に一覧表形式で記載しておくものとし、ユーザは、この一覧表の中から所望するコードを選択して、リモコン等からメーカコードを入力するようにすればよい。
【発明の効果】
【００１９】
本発明の映像信号処理装置によれば、本装置に接続される表示装置のメーカに対応した最適なフォントサイズまたは輝度レベル、もしくはフォントサイズ及び輝度レベルで文字等を表示することができるため、表示装置側の性能差による文字等のにじみや潰れ、荒さといった不具合の発生を軽減することができる。これにより、ユーザは、目の疲れない見易いＯＳＤ画面を視聴することができる。
【発明を実施するための最良の形態】
【００２０】
以下、本発明の実施の形態について、図面を参照して説明する。
【００２１】
図１は、本発明の映像信号処理装置の一実施の形態である光ディスク装置のブロック構成を示している。
【００２２】
本実施形態の光ディスク装置１は、図示しない光ディスクに記録されている映像信号を読み取る光ピックアップ２、光ピックアップ２により読み取られた映像信号を記憶する画像メモリ３、画像メモリ３に記憶された映像信号を復号処理する信号処理回路４、信号処理回路４により復号処理された映像信号をＴＶモニタ装置２０に対する映像信号に変換して出力するＤＡ変換回路５、ＴＶモニタ装置２０にＯＳＤ信号を出力して所定のＯＳＤ表示をさせるＯＳＤ回路６、上記各ブロックの制御を司る制御回路７、制御回路７の動作プログラム及びＴＶモニタ装置２０に表示させる各種フォントデータを記憶するメモリ８、ユーザが制御回路７に各種の指令を入力するための操作部９、リモコン１１からの操作信号を受信して制御回路７に入力する受信部１０を備えている。
【００２３】
制御回路７は、信号処理回路４にて復号処理された映像信号に、ＯＳＤ回路６にて生成されたＯＳＤ信号を重畳してＤＡ変換回路５に出力する。また、制御回路７は、ＯＳＤ回路６にて生成されるＯＳＤ信号のフォントサイズを切り替える切替制御機能を備えている。
【００２４】
また、メモリ８には、本装置に接続されるＴＶモニタ装置２０のメーカごとに最適なフォントサイズのデータを予め格納したフォントサイズテーブル８ａと、本装置に接続されるＴＶモニタ装置２０のメーカごとに最適な輝度レベルのデータを予め格納した輝度レベルテーブル８ｂとが格納されている。
【００２５】
図２は、フォントサイズテーブル８ａの一構成例を示している。
【００２６】
このフォントサイズテーブル８ａは、本装置に接続されるＴＶモニタ装置２０のメーカ名と、そのメーカ名に対応した最適なフォントサイズ（ドット）データとで構成されている。この例では、メーカＡの最適なフォントサイズは８×８、メーカＢの最適なフォントサイズは１６×１６、メーカＣの最適なフォントサイズは２４×２４、メーカＤの最適なフォントサイズは１６×１６、・・・、等となっている。このような最適なフォントサイズは、例えば製品出荷前に実際に各メーカのＴＶモニタ装置を接続して決定する。
【００２７】
図３は、輝度レベルテーブル８ｂの一構成例を示している。
【００２８】
この輝度レベルテーブル８ｂは、本装置に接続されるＴＶモニタ装置２０のメーカ名と、そのメーカ名に対応した最適な輝度レベルデータとで構成されている。この例では、メーカＡの最適な輝度レベルはデフォルト値（標準値）に対して＋５、メーカＢの最適な輝度レベルはデフォルト値（標準値）に対して−３、メーカＣの最適な輝度レベルはデフォルト値（標準値）に対して＋２、メーカＤの最適な輝度レベルはデフォルト値（標準値）に対して±０、・・・、等となっている。このような最適な輝度レベルは、例えば製品出荷前に実際に各メーカのＴＶモニタ装置を接続して決定する。
【００２９】
制御回路７は、これらのテーブル８ａ，８ｂを利用して、本装置に接続されたＴＶモニタ装置２０に応じたＯＳＤ信号のフォントサイズまたは輝度レベルの切り替え制御を行う。以下、出力する映像信号に重畳するＯＳＤ信号のＯＳＤフォントの切り替え制御について、具体的に実施例を挙げて説明する。
【実施例１】
【００３０】
本実施例１は、本装置に接続されたＴＶモニタ装置２０に応じたＯＳＤ信号のフォントサイズを切り替える実施例である。従って、本実施例１では、輝度レベルテーブル８ｂは使用しない。図４は、本実施例１の処理動作を示すフローチャートである。以下、図４に示すフローチャートを参照して本実施例１を説明する。
【００３１】
ユーザは、例えばリモコン１１を操作して、ＴＶモニタ装置２０にメニュー画面を表示し（ステップＳ１１）、そのメニュー画面の中から、本装置に接続されているＴＶモニタ装置２０のＯＳＤフォント設定項目を選択する（ステップＳ１２でＹｅｓと判断）。これにより、ＴＶモニタ装置２０の画面には、図７に示す全メーカ名の一覧が表示される（ステップＳ１３）。
【００３２】
この一覧表示の中から、ユーザが、本装置に接続されているＴＶモニタ装置２０のメーカ名を指定する（ステップＳ１４）。具体的には、画面中の図示しないカーソルを所望のメーカ名に移動し、画面右下の「決定」キーを操作する。このようにしてメーカ名が指定されると（ステップＳ１４でＹｅｓと判断されると）、制御回路７は、その指定されたメーカ名のフォントサイズをフォントサイズテーブル８ａから抽出し（ステップＳ１５）、その抽出したフォントサイズでＯＳＤ信号を出力し、ＴＶモニタ装置２０にＯＳＤ表示を行う（ステップＳ１６）。具体的には、指定されたメーカ名が例えばメーカＡである場合には、フォントサイズを８×８としてＯＳＤ表示を行い、メーカ名が例えばメーカＢである場合には、フォントサイズを１６×１６としてＯＳＤ表示を行い、メーカ名が例えばメーカＣである場合には、フォントサイズを２４×２４としてＯＳＤ表示を行う。
【００３３】
このように、本装置に接続されているＴＶモニタ装置２０のメーカごとに設定されている最適なフォントサイズでＯＳＤ表示を行うことにより、接続されるＴＶモニタ装置２０側の性能差による文字のにじみや潰れ、荒さを軽減することができる。
【実施例２】
【００３４】
本実施例２は、本装置に接続されたＴＶモニタ装置２０に応じたＯＳＤ信号の輝度レベルを切り替える実施例である。従って、本実施例２では、フォントサイズテーブル８ａは使用しない。図５は、本実施例２の処理動作を示すフローチャートである。以下、図５に示すフローチャートを参照して本実施例２を説明する。
【００３５】
ユーザは、例えばリモコン１１を操作して、ＴＶモニタ装置２０にメニュー画面を表示し（ステップＳ２１）、そのメニュー画面の中から、本装置に接続されているＴＶモニタ装置２０のＯＳＤフォント設定項目を選択する（ステップＳ２２でＹｅｓと判断）。これにより、ＴＶモニタ装置２０の画面には、図７に示す全メーカ名の一覧が表示される（ステップＳ２３）。
【００３６】
この一覧表示の中から、ユーザが、本装置に接続されているＴＶモニタ装置２０のメーカ名を指定すると、（ステップＳ２４でＹｅｓと判断されると）、制御回路７は、その指定されたメーカ名の輝度レベルを輝度レベルテーブル８ｂから抽出し（ステップＳ２５）、その抽出した輝度レベルでＯＳＤ信号を出力し、ＴＶモニタ装置２０にＯＳＤ表示を行う（ステップＳ２６）。具体的には、指定されたメーカ名が例えばメーカＡである場合には、輝度レベルをデフォルト標準値から＋５した輝度レベルでＯＳＤ表示を行い、メーカ名が例えばメーカＢである場合には、輝度レベルをデフォルト標準値から−３した輝度レベルでＯＳＤ表示を行い、メーカ名が例えばメーカＣである場合には、輝度レベルをデフォルト標準値から＋２した輝度レベルでＯＳＤ表示を行う。
【００３７】
このように、本装置に接続されているＴＶモニタ装置２０のメーカごとに設定されている最適な輝度レベルでＯＳＤ表示を行うことにより、接続されるＴＶモニタ装置２０側の性能差による文字のにじみや潰れ、荒さを軽減することができる。
【実施例３】
【００３８】
本実施例３は、本装置に接続されたＴＶモニタ装置２０に応じたＯＳＤ信号のフォントサイズ及び輝度レベルを切り替える実施例である。図６は、本実施例３の処理動作を示すフローチャートである。以下、図６に示すフローチャートを参照して本実施例３を説明する。
【００３９】
ユーザは、例えばリモコン１１を操作して、ＴＶモニタ装置２０にメニュー画面を表示し（ステップＳ３１）、そのメニュー画面の中から、本装置に接続されているＴＶモニタ装置２０のＯＳＤフォント設定項目を選択する（ステップＳ３２でＹｅｓと判断）。これにより、ＴＶモニタ装置２０の画面には、図７に示す全メーカ名の一覧が表示される（ステップＳ３３）。
【００４０】
この一覧表示の中から、ユーザが、本装置に接続されているＴＶモニタ装置２０のメーカ名を指定すると、（ステップＳ３４でＹｅｓと判断されると）、制御回路７は、その指定されたメーカ名のフォントサイズをフォントサイズテーブル８ａから抽出するとともに、その指定されたメーカ名の輝度レベルを輝度レベルテーブル８ｂから抽出し（ステップＳ３５）、その抽出したフォントサイズ及び輝度レベルでＯＳＤ信号を出力し、ＴＶモニタ装置２０にＯＳＤ表示を行う（ステップＳ３６）。具体的には、指定されたメーカ名が例えばメーカＡである場合には、フォントサイズを８×８としかつ輝度レベルをデフォルト標準値から＋２した輝度レベルでＯＳＤ表示を行い、メーカ名が例えばメーカＢである場合には、フォントサイズを１６×１６としかつ輝度レベルをデフォルト値から−３した輝度レベルでＯＳＤ表示を行い、メーカ名が例えばメーカＣである場合には、フォントサイズを２４×２４としかつ輝度レベルをデフォルト標準値から＋２した輝度レベルでＯＳＤ表示を行う。
【００４１】
このように、本装置に接続されているＴＶモニタ装置２０のメーカごとに設定されている最適なフォントサイズ及び輝度レベルでＯＳＤ表示を行うことにより、接続されるＴＶモニタ装置２０側の性能差による文字のにじみや潰れ、荒さを軽減することができる。
【００４２】
なお、上記実施例１〜３では、メニュー画面に表示された全メーカからユーザが任意のメーカを選択することで、本装置に接続されているＴＶモニタ装置のメーカを指定するように構成しているが、メーカの指定はこれに限定されるものではない。例えば、メニュー画面に表示されたコード入力窓に、ユーザ自身がリモコン１１の例えば数字キーを操作して直接メーカコードを入力することで、本装置に接続されているＴＶモニタ装置のメーカを指定するように構成してもよい。この場合、コード入力窓に入力するメーカコードは、予め説明書などの冊子に一覧表形式で記載しておくものとし、ユーザは、この一覧表の中から所望するメーカコードを選択して、リモコン１１からメーカコードを直接入力する。
【図面の簡単な説明】
【００４３】
【図１】本発明の映像信号処理装置の一実施の形態である光ディスク装置のブロック構成図である。
【図２】フォントサイズテーブルの一構成例を示す説明図である。
【図３】輝度レベルテーブルの一構成例を示す説明図である。
【図４】実施例１の処理動作を示すフローチャートである。
【図５】実施例２の処理動作を示すフローチャートである。
【図６】実施例３の処理動作を示すフローチャートである。
【図７】メニュー画面の中からＯＳＤフォント設定項目を選択した場合にＴＶモニタ装置の画面に表示される全メーカ名の一覧表示例を示す説明図である。
【符号の説明】
【００４４】
１  光ディスク装置
２  光ピックアップ
３  画像メモリ
４  信号処理回路
５  ＤＡ変換回路
６  ＯＳＤ回路
７  制御回路
８  メモリ
８ａ  フォントサイズテーブル
８ｂ  輝度レベルテーブル
９  操作部
１０  受信部
１１  リモコン
２０  ＴＶモニタ装置
【図１】
2007020035.tif 000003
【図２】
2007020035.tif 000004
【図３】
2007020035.tif 000005
【図４】
2007020035.tif 000006
【図５】
2007020035.tif 000007
【図６】
2007020035.tif 000008
【図７】
2007020035.tif 000009